(57)【要約】【課題】廉価なコストで設置でき、また、美観を損なわないと共にグランドを狭くすることのない防球ネットの嵩上げ方法、およびそれに使用する嵩上げポールを提供する。【解決手段】既設の防球ネットを嵩上げする方法であって、既設防球ネットの既設中空状ポール１内に、その上端開口部から、外周面に前記既設ポール１の内周面に当接し当該既設ポール１に対する組付けを行うリブ片１２を設け、しかも前記既設ポール１より高い、嵩上げポール１０を挿入し、当該嵩上げポール１０の上端嵩上げ部１１ａを前記既設ポール１の上端から突出させ、当該上端嵩上げ部１１ａにネット２０を張る。【選択図】図１
2005073876.tif 000002
【特許請求の範囲】
【請求項１】
既設の防球ネットを嵩上げする方法であって、
前記既設防球ネットの既設の中空状ポール内に、その上端開口部から、外周面に前記既設ポールの内周面に当接し当該既設ポールに対する組付けを行うリブ片を設け、しかも前記既設ポールよりも高く上端から突出させて、嵩上げポールを挿入し、該上端嵩上げ部にネットを張ってなることを特徴とする防球ネットの嵩上げ方法。
【請求項２】
前記リブ片を、複数、所定の間隔をとって設けることによって、前記嵩上げポールを、前記既設ポールの中心部に組付けてなることを特徴とする請求項１に記載の防球ネットの嵩上げ方法。
【請求項３】
前記既設ポールの上端に平面リング状のキャップを被せ、該既設ポールの上端開口部を塞いでなることを特徴とする請求項１または２に記載の防球ネットの嵩上げ方法。
【請求項４】
既設の防球ネットを嵩上げするために使用する嵩上げポールであって、
既設の中空状ポールより高く、外径が前記既設ポールの内径より小さいポール本体の外周面に、前記既設ポールの内周面に当接して、前記ポール本体を前記既設ポールに組付けるリブ片を設けたことを特徴とする嵩上げポール。
【請求項５】
前記ポール本体を、前記既設ポールの中心部に組付けるべく、前記リブ片を複数とし、かつ各リブ片の横幅を同一に設定して、前記ポール本体外周面に、周方向に沿って等間隔で設けたことを特徴とする請求項４に記載の嵩上げポール。
【請求項６】
前記ポール本体の上端嵩上げ部の下端に、前記既設ポールの上端開口部を塞ぐ平面リング状のキャップを設けたことを特徴とする請求項４または５に記載の嵩上げポール。
【発明の詳細な説明】
【技術分野】
【０００１】
本発明は、学校のグランドや公園等に、ボールが外へ飛び出すのを防止するために設けた既設の防球ネットを嵩上げする方法、および嵩上げするために使用する嵩上げポールに関するものである。
【背景技術】
【０００２】
一般に、学校のグランド等には、野球等のボールがグランド外へ飛び出すのを防止するための防球ネットが設けられている（例えば、特許文献１参照）。
【特許文献１】特許第３１４５９５１号公報
【０００３】
近年、この防球ネットを設置した後に、グランドの周囲に住宅が建設され、これらの住宅内にボールが飛び込むことがあるため、これを防止するために既設の防球ネットを高くしたいとの要望が多くある。
【０００４】
既設の防球ネットのポールは、その高さを、ポールの間隔に合わせて構造計算を行って決定しているので、既設のポールの上端に、新たなポールを継ぎ足して嵩上げをすることは構造上できない。
【０００５】
そのため、これまでは、既設の防球ネットを撤去して新しく設置したり、あるいは、既設のポールの前に、それよりも高い新たなポールを設置してネットを張っていた。
【発明の開示】
【発明が解決しようとする課題】
【０００６】
しかしながら、これまでの手段では、既設の防球ネットを撤去したり、既設のポールの他に新設のポールを立てる必要があるため、設置コストが嵩無といった問題がある。また、美観が損なわれると共にグランドが狭くなるといった問題もある。
【０００７】
そこで、本発明の目的とするところは、廉価なコストで設置でき、また、美観を損なわないと共にグランドを狭くすることのない防球ネットの嵩上げ方法、およびそれに使用する嵩上げポールを提供することにある。
【課題を解決するための手段】
【０００８】
上記の目的を達成するために、本発明の請求項１に記載の防球ネットの嵩上げ方法は、既設の防球ネットを嵩上げする方法であって、前記既設防球ネットの既設の中空状ポール（１）内に、その上端開口部から、外周面に前記既設ポール（１）の内周面に当接し当該既設ポール（１）に対する組付けを行うリブ片（１２）を設け、しかも前記既設ポール（１）よりも高く上端から突出させて、嵩上げポール（１０）を挿入し、当該上端嵩上げ部（１１ａ）にネット（２０）を張ってなることを特徴とする。
【０００９】
また、請求項２に記載の発明は、前記リブ片（１２）を、複数、所定の間隔をとって設けることによって、前記嵩上げポール（１０）を、前記既設ポール（１）の中心部に組付けてなることを特徴とする。所定数とは、一つ、あるいは二つ以上を意味する。
【００１０】
さらに、請求項３に記載の発明は、前記既設ポール（１）の上端に平面リング状のキャップ（１３）を被せ、当該既設ポール（１）の上端開口部を塞いでなることを特徴とする。
【００１１】
本発明の請求項４に記載の嵩上げポール（１０）は、既設の防球ネットを嵩上げするために使用するものであって、既設の中空状ポール（１）より高く、外径が前記既設ポール（１）の内径より小さいポール本体（１１）の外周面に、前記既設ポール（１）の内周面に当接して、前記ポール本体（１１）を前記既設ポール（１）に組付けるリブ片（１２）を設けてなることを特徴とする。
【００１２】
また、請求項５に記載の発明は、前記ポール本体（１１）を、前記既設ポール（１）の中心部に組付けるべく、前記リブ片（１２）を複数とし、かつ各リブ片（１２）の横幅を同一に設定して、前記ポール本体（１１）外周面に、周方向に沿って等間隔で設けてなることを特徴とする。
【００１３】
さらに、請求項６に記載の発明は、前記ポール本体（１１）の上端嵩上げ部（１１ａ）の下端に、前記既設ポール（１）の上端開口部を塞ぐ平面リング状のキャップ（１３）を設けてなることを特徴とする。
【００１４】
なお、カッコ内の記号は、図面および後述する発明の実施の形態に記載された対応要素または対応事項を示す。
【発明の効果】
【００１５】
本発明の請求項１に記載の防球ネットの嵩上げ方法によれば、既設防球ネットの既設の中空状ポール内に、それより高い嵩上げポールを挿入して、既設ポールの上端から突出させた上端嵩上げ部にネットを張るので、従来のように、既設ポールを撤去したり、既設ポールの前に新たなポールを立てることなく、防球ネットを容易に嵩上げすることができる。
従って、設置コストを削減することができ、また、美観の損失や、グランドの狭小化を防止することができる。
【００１６】
なお、嵩上げポールを既設ポール内に挿入し、リブ片を既設ポールの内周面に当接させて、嵩上げポールを既設ポールに組付けるので、既設ポールの上端から新たなポールを立設するのと異なり、十分な強度を得ることができる。
従って、安全性にも優れる。
【００１７】
また、請求項２に記載の発明によれば、請求項１に記載の発明の作用効果に加えて、複数のリブ片を設けることによって、嵩上げポールを、既設ポールの中心部に組付けるので、既設ポールに嵩上げポールを自然な状態で垂直に組付けることができ、美観の損失をさらに防止することができる。
【００１８】
さらに、請求項３に記載の発明によれば、請求項１および２に記載の発明の作用効果に加えて、既設ポールの上端に平面リング状のキャップを被せ、その既設ポールの上端開口部を塞ぐので、既設ポール内に雨水や埃等が侵入するのを未然に防止することができ、防球ネットの耐久性を良好に保つことができる。
【００１９】
本発明の請求項４に記載の嵩上げポールによれば、既設ポールより高く、外径が既設の中空状ポールの内径より小さいポール本体の外周面に、既設ポールの内周面に当接して、ポール本体を前記既設ポールに組付けるリブ片を設けて構成したので、既設ポールを撤去したり、既設ポールの前に新たなポールを立てる必要がない。
従って、設置コストを削減することができ、また、美観を損なったり、グランドを狭くするといった問題を解決することができる。
さらに、嵩上げポールを既設ポール内に挿入し、リブ片を既設ポールの内周面に当接させて、嵩上げポールを既設ポールに組付けるので、十分な強度を得ることができ、高い安全性を発揮する。
【００２０】
また、請求項５に記載の発明によれば、請求項４に記載の発明の作用効果に加えて、横幅を同一に設定した複数のリブ片を、ポール本体外周面に、周方向に沿って等間隔で設けたので、ポール本体を既設ポールの中心部に正確に組付けることができる。
これにより、嵩上げポールを既設ポールに対して自然な状態で垂直に組付けることができ、美観の損失をさらに効果的に防ぐことができる。
【００２１】
さらに、請求項６に記載の発明によれば、請求項４および５に記載の発明の作用効果に加えて、ポール本体の上端嵩上げ部の下端に、既設ポールの上端開口部を塞ぐ平面リング状のキャップを設けたので、既設ポール内に雨水や埃等が侵入するのを未然に防止することができ、当該既設ポールおよび防球ネットの耐久性を良好に保つことができる。
【発明を実施するための最良の形態】
【００２２】
図１乃至図７を参照して、本発明の実施形態に係る防球ネットの嵩上げ方法ついて説明する。この嵩上げ方法には、本発明の実施形態に係る嵩上げポール１０を使用する。図１は嵩上げされた防球ネットを示す正面図であり、図２は防球ネットの嵩上げ方法を示す部分断面正面図である。図３乃至図６は、図２の矢視断面図である。また、図７は、嵩上げポールの部分拡大正面図である。
【００２３】
本発明の実施形態に係る防球ネットの嵩上げ方法は、学校のグランドに設けられた既設の防球ネットの嵩上げを行うものであり、まず最初に、通常、中空状（円筒状）である既設ポール１の上端開口部を被っている蓋体２を取外す（図２（ａ）参照）。次に、既設防球ネットを構成する複数の既設ポール１内のそれぞれに、その上端開口部から、嵩上げポール１０をその下端が地面に到達するまで挿入する（図２（ｂ））。
【００２４】
これにより、既設ポール１より高く形成された嵩上げポール１０の上端部（上端嵩上げ部１１ａ）を既設ポール１の上端から突出させる（図２（ｃ））。そして、この上端嵩上げ部１１ａに新たなネット２０を張り、防球ネットを嵩上げする（図２（ｄ））。
【００２５】
この方法によれば、従来のように既設ポール１を撤去したり、新たなポールを立てるといった工事を必要とせず、容易に嵩上げを行うことができるので、設置コストを大幅に削減することができる。同時に、美観の損失や狭小化を防止することができる。
【００２６】
なお、この嵩上げポール１０は、円筒形状のポール本体１１と複数の鉄筋性のリブ片１２とで構成し、そのリブ片１２を既設ポール１の内周面に当接させるので、当該嵩上げポール１０を既設ポール１に強固に組付けることができる。従って、強度が高く、安全性にも優れる。
【００２７】
また、本実施形態においては、複数のリブ片１２の横幅（径方向への突出長さ）を同一に設定して、ポール本体１１の外周面に周方向に沿って等間隔で設けることにより、嵩上げポール１０を既設ポール１の中心部に組付けている。
従って、既設ポール１に嵩上げポール１０を自然な状態で垂直に組付けることができ、美観の損失をさらに防止することができる。
【００２８】
また、この嵩上げポール１０は、そのポール本体１１の上端嵩上げ部１１ａの下端に、平面リング状のキャップ１３を設けており、これにより、嵩上げポール１０を既設ポール１内に挿入することによって、当該キャップ１３で既設ポール１の上端開口部を容易に塞ぐことができる。キャップ１３のはたらきにより、既設ポール１内に雨水等が侵入するのを防ぐことができ、防球ネットの耐久性を良好に保つことができる。
【００２９】
なお、本実施形態におけるリブ片１２は縦長棒状としているが、こうした形状に限定されるものではなく、例えば、リング状とし、ポール本体１１に嵌合させても良い。
また、その数、および設置個所は限定されない。また、リブ片１２のポール本体１１に対する取付けも限定されず、例えば、溶接やネジ固定によって行うことができる。
さらに嵩上げポール１０をその下端が地面に到達するまで挿入するようにしたが、既設ポール１の内周面に対するリブ片１２の固定力を大きいものとすれば、必ずしも嵩上げポール１０の下端を地面に到達させなくともよい。
【産業上の利用可能性】
【００３０】
本発明は、学校のグランドのみならず、公園、野球場、ゴルフ場、サッカー場など、あらゆる場所に設置されている既設の防球ネットに対して適用することができる。
【図面の簡単な説明】
【００３１】
【図１】本発明の実施形態に係る防球ネットの嵩上げ方法により嵩上げされた防球ネットを示す正面図である。
【図２】本発明の実施形態に係る防球ネットの嵩上げ方法を示す部分断面正面図である。
【図３】図２のＡ−Ａ線拡大断面図である。
【図４】図２のＢ−Ｂ線拡大断面図である。
【図５】図２のＣ−Ｃ線拡大断面図である。
【図６】図２のＤ−Ｄ線拡大断面図である。
【図７】本発明の実施形態に係る嵩上げポールを示す部分拡大正面図である。
【符号の説明】
【００３２】
１      既設ポール
２      蓋体
１０      嵩上げポール
１１      ポール本体
１１ａ    上端嵩上げ部
１２      リブ片
１３      キャップ
２０      ネット
【図１】
2005073876.tif 000003
【図２】
2005073876.tif 000004
【図３】
2005073876.tif 000005
【図４】
2005073876.tif 000006
【図５】
2005073876.tif 000007
【図６】
2005073876.tif 000008
【図７】
2005073876.tif 000009